【事件の表示】
　特願２０１７−１０１９５５号「遊技機」拒絶査定不服審判事件〔平成２９年　８月１０日出願公開、特開２０１７−１３６５１１号〕について、次のとおり審決する。
【結　論】
　本件審判の請求は、成り立たない。
【理　由】
第１　手続の経緯の概要 
　本願は、平成２５年２月２６日に出願した特願２０１３−３５９２７号の一部を平成２９年５月２３日に新たな特許出願（特願２０１７−１０１９５５号）としたものであって、平成３０年３月２７日付けで拒絶の理由が通知され、同年５月２４日に意見書及び手続補正書が提出されたところ、同年１０月１９日付けで拒絶査定（以下「原査定」という。）がなされ、それに対して、平成３１年１月１１日に拒絶査定不服審判の請求がなされると同時に手続補正がなされたものである。
 　 
第２　平成３１年１月１１日にされた手続補正についての補正の却下の決定 
［補正の却下の決定の結論］ 
　平成３１年１月１１日にされた手続補正（以下「本件補正」という。）を却下する。 
 　 
［理由］ 
１　補正の内容
　本件補正は、特許請求の範囲の請求項１〜２のうち、請求項１を補正する内容を含むものであり、平成３０年５月２４日付け手続補正書の特許請求の範囲の請求項１における 
 「【請求項１】 
　遊技球が入賞可能な入賞手段に入賞した遊技球を検知する入賞検知手段と、
　前記入賞検知手段によって遊技球の入賞が検知されると、所定数の遊技球を賞球として払い出す賞球払出の制御を行わせる払出制御コマンドを送信する第１制御手段と、
　遊技球を払い出す払出装置と、
　前記第１制御手段から送信された払出制御コマンドに基づいて、前記払出装置から賞球として遊技球の払出制御を行う第２制御手段と、
　前記払出装置から払い出された遊技球を検出する払出球検出手段と、
　前記払出装置から払い出された賞球数を計数記憶する計数記憶手段と、
　前記入賞検知手段によって遊技球の入賞が検知されることに対応して、前記払出装置から払い出す賞球数を加算記憶する払出予定数記憶手段と、
　遊技に関する情報を外部に出力可能な外部接続手段と、を備え、
　前記計数記憶手段に記憶された計数値が所定の計数値となったことに基づき、賞球払出信号を前記外部接続手段へ出力するように構成され、
　前記払出予定数記憶手段に記憶された加算値が所定の加算値となったことに基づき、払出予定信号を前記外部接続手段へ出力するように構成され、
　前記払出予定数記憶手段の初期化に対応して、セキュリティに関するセキュリティ信号を前記外部接続手段へ出力するように構成され、
　前記払出予定信号の１回の出力時間を、前記払出予定数記憶手段の初期化に対応して出力する前記セキュリティ信号の出力時間より長くしないことを特徴とする遊技機。」は、 
 　 
　平成３１年１月１１日付け手続補正書の特許請求の範囲の請求項１における
 「【請求項１】 
　遊技球が入賞可能な入賞手段に入賞した遊技球を検知する入賞検知手段と、
　前記入賞検知手段によって遊技球の入賞が検知されると、所定数の遊技球を賞球として払い出す賞球払出の制御を行わせる払出制御コマンドを送信する第１制御手段と、
　遊技球を払い出す払出装置と、
　前記第１制御手段から送信された払出制御コマンドに基づいて、前記払出装置から賞球として遊技球の払出制御を行う第２制御手段と、
　前記払出装置から払い出された遊技球を検出する払出球検出手段と、
　前記払出装置から払い出された賞球数を計数記憶する計数記憶手段と、
　
前記払出制御コマンドを送信した後に、該払出制御コマンドによって払い出しを指示された
　遊技に関する情報を外部に出力可能な外部接続手段と、を備え、
　前記計数記憶手段に記憶された計数値が所定の計数値となったことに基づき、賞球払出信号を前記外部接続手段へ出力するように構成され、
　前記払出予定数記憶手段に記憶された加算値が所定の加算値となったことに基づき、払出予定信号を前記外部接続手段へ出力するように構成され、
　前記払出予定数記憶手段の初期化に対応して、セキュリティに関するセキュリティ信号を前記外部接続手段へ出力するように構成され、
　前記払出予定信号の１回の出力時間を、前記払出予定数記憶手段の初期化に対応して出力する前記セキュリティ信号の出力時間より長くしないことを特徴とする遊技機。」に補正された（下線は、補正箇所を明示するために当審にて付した。以下同じ。）。
２　補正の適否 
　本件補正は、補正前の請求項１の「前記入賞検知手段によって遊技球の入賞が検知されることに対応して、前記払出装置から払い出す賞球数を加算記憶する払出予定数記憶手段」という記載を、「
前記払出制御コマンドを送信した後に、該払出制御コマンドによって払い出しを指示された
　ここで、補正後の請求項１に係る発明は、「前記入賞検知手段によって遊技球の入賞が検知されると、所定数の遊技球を賞球として払い出す賞球払出の制御を行わせる払出制御コマンドを送信する第１制御手段」と「前記第１制御手段から送信された払出制御コマンドに基づいて、前記払出装置から賞球として遊技球の払出制御を行う第２制御手段」とを備えることから、補正後の請求項１に係る発明における「払出制御コマンド」は、「入賞検知手段によって遊技球の入賞が検知されると、」「送信」されるものであり、「払出装置」に「所定数の遊技球を賞球として払い出す」ことを指示するものであると認められる。
　してみると、補正後の請求項１に係る発明の「
前記払出制御コマンドを送信した後に、該払出制御コマンドによって払い出しを指示された
　そして、本件補正は、補正前の請求項１の発明特定事項である「払出予定数記憶手段」について、「賞球数を加算記憶する」タイミングが「
前記払出制御コマンドを送信した後
該払出制御コマンドによって払い出しを指示された
　よって、本件補正は、補正前の請求項１の発明特定事項である「払出予定数記憶手段」を実質的に限定するものである。
　また、補正後の請求項１に係る発明は、補正前の請求項１に係る発明と、産業上の利用分野及び解決しようとする課題が同一である。
　したがって、本件補正のうち特許請求の範囲の請求項１についてする補正は、特許法第１７条の２第５項第２号に規定する「特許請求の範囲の減縮」を目的とする補正に該当する。 
　
　また、本件補正は、願書に最初に添付した明細書の【００３０】、【００９９】、【０１３５】〜【０１３６】等の記載からみて、新規事項を追加するものではないから、特許法第１７条の２第３項に規定する要件を満たす。 
３　独立特許要件 
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。 
（１）本件補正発明 
　本件補正発明は、次のとおりのものであると認める（記号Ａ〜Ｍは、分説するため当審にて付した。）。 
　「Ａ　遊技球が入賞可能な入賞手段に入賞した遊技球を検知する入賞検知手段と、
Ｂ　前記入賞検知手段によって遊技球の入賞が検知されると、所定数の遊技球を賞球として払い出す賞球払出の制御を行わせる払出制御コマンドを送信する第１制御手段と、
Ｃ　遊技球を払い出す払出装置と、
Ｄ　前記第１制御手段から送信された払出制御コマンドに基づいて、前記払出装置から賞球として遊技球の払出制御を行う第２制御手段と、
Ｅ　前記払出装置から払い出された遊技球を検出する払出球検出手段と、
Ｆ　前記払出装置から払い出された賞球数を計数記憶する計数記憶手段と、
Ｇ　前記払出制御コマンドを送信した後に、該払出制御コマンドによって払い出しを指示された賞球数を加算記憶する払出予定数記憶手段と、
Ｈ　遊技に関する情報を外部に出力可能な外部接続手段と、を備え、
Ｉ　前記計数記憶手段に記憶された計数値が所定の計数値となったことに基づき、賞球払出信号を前記外部接続手段へ出力するように構成され、
Ｊ　前記払出予定数記憶手段に記憶された加算値が所定の加算値となったことに基づき、払出予定信号を前記外部接続手段へ出力するように構成され、
Ｋ　前記払出予定数記憶手段の初期化に対応して、セキュリティに関するセキュリティ信号を前記外部接続手段へ出力するように構成され、
Ｌ　前記払出予定信号の１回の出力時間を、前記払出予定数記憶手段の初期化に対応して出力する前記セキュリティ信号の出力時間より長くしない
Ｍ　ことを特徴とする遊技機。」 
 　 
（２）引用文献１ 
　原査定の拒絶の理由に引用され、本願の遡及日前に頒布された又は電気通信回線を通じて公衆に利用可能となった引用文献である、特開２０１２−２２８３４０号公報（以下「引用文献１」という。）には、図面と共に以下の事項が記載されている（下線は当審にて付した。）。
 　 
・記載事項
　ア　「【発明を実施するための形態】
【００１２】
　・・・図１〜図１２は本発明を
パチンコ機
遊技機本体１は、
前枠３とを備えている。
【００１３】
　
前枠３の上部側には遊技盤５（図２）が
装着される
【００１４】
　
遊技盤５の
ガイドレール１１の内側の遊技領域１２には、
特別図柄始動手段１５、大入賞手段１６、
普通入賞手段１７ａ〜１７ｄ等の遊技部品が配置されている。
【００１９】
　
特別図柄始動手段１５は、
始動入賞口（入球口）２７，２８
を備え、
始動入賞口２７，２８に入賞した遊技球を夫々検出する
入賞検出スイッチ３２，３３が設けられている。
【００２５】
　大入賞手段（入球口）１６は、遊技球が入賞可能な開状態と入賞不可能な閉状態とに変化可能な開閉板３０を備えた作動式で、例えば特別図柄始動手段１５の下側に配置されており、特別図柄表示手段２３の変動後の停止図柄が大当たり態様となることに基づいて特別利益状態（大当たり状態）が発生したときに、開閉板３０が前側に所定時間開放して、その上に落下した遊技球を内部へと入賞させるようになっている。なお、この
大入賞手段１６には、入賞した遊技球を検出する
入賞検出スイッチ３４が設けられている。
【００２６】
　また、例えばこの大入賞手段１６の右側に普通入賞手段１７ａが、左側に普通入賞手段１７ｂ〜１７ｄが夫々配置されている。これら
普通入賞手段（入球口）１７ａ〜１７ｄには、入賞した遊技球を検出する
入賞検出スイッチ３５ａ〜３５ｄが設けられている。
 　 
　イ　「【００２７】
　また、
遊技盤５の裏面側には、
主制御基板３７が格納された主基板ケース３８、
が
装着されている。
【００２８】
　
前枠３の裏側には、
払出手段４６
が
装着されており、遊技球が
入賞口に入賞したとき、
遊技球を
払出手段４６により払い出し、
払出手段４６には、払い出した遊技球を検出する
払出検出スイッチ４８が設けられている。
【００２９】
　
前枠３の裏側下部には、
払出制御基板５３が格納された払出基板ケース５４が
装着されている。
【００３０】
　また、
前枠３の裏側
には、各種信号を外部の例えばホール側コンピュータ等に出力するための複数の外部出力端子５５ａ，５５ｂ，…を備えた外部出力基板５６が装着されている。
【００３１】
　・・・図４において、
主制御基板３７は、
入賞処理手段７８、制御コマンド送信手段７９等を備えている。
【００３２】
　また、この
主制御基板３７には、
払出制御基板５３
が接続され、
特別図柄始動手段１５、大入賞手段１６、普通入賞手段１７ａ〜１７ｄの各入賞検出スイッチ３２〜３４，３５ａ〜３５ｄ等が接続されている。
 　 
　ウ　「【００４５】
　
入賞処理手段７８は、
入賞管理手段７８ａ、賞球管理手段
７８ｂ
【００４６】
　入賞管理データテーブル７８ｄは、入賞口と入賞カウンタとの対応関係を規定するもので、図５に示すように、例えば上始動入賞口２７、下始動入賞口２８、大入賞手段１６、普通入賞手段１７ａ〜１７ｄの７つの入賞口に対して、夫々４種類の入賞カウンタ１〜４の何れかが割り当てられている。
・・・
【００４８】
　コマンドデータテーブル（賞球個数情報記憶手段）７８ｅは、入賞カウンタと払出個数指定コマンドとの対応関係を規定するものである。なお、
払出個数指定コマンドは、
その下位バイトが賞球個数の数値となっている。
【００４９】
　まず、
入賞管理手段７８ａによる入賞管理処理
【００５０】
　ｎ＝１からｎ＝Ｎまでの各ループ処理においては、
入賞口ｎへの入賞があったか否かが、その入賞口ｎに対応する入賞検出スイッチからの検出信号に基づいて判定される
【００５１】
　Ｓ３において
入賞口ｎへの入賞があったと判定された場合には
その入賞口ｎに対応する入賞カウンタに１が加算される
　エ　「【００５３】
　続いて、
賞球管理手段７８ｂによる賞球管理処理
【００５４】
　このｎ＝１からｎ＝ＭまでのＭ回のループ処理においては、
入賞カウンタｎの値が０であるか否かが判定され
【００５５】
　
入賞カウンタｎの値が０でないと判定され
た場合には
その入賞カウンタｎに対応する払出個数指定コマンドが
読み出され、
制御コマンド送信手段７９を介して払出制御基板５３に送信される
【００５６】
　また、
所定のワーク領域（記憶領域）から賞球個数カウンタの値が読み出され、Ｓ１８でコマンドデータテーブル７８ｅから読み出された払出個数指定コマンドの下位バイトの値（即ち賞球個数）がその賞球個数カウンタに加算される
賞球個数カウンタは、払い出し予定の賞球の累計をカウントするもので、一定の記憶領域が割り当てられている。
【００５７】
　このように本実施形態では、払出制御基板５３に送信する払出個数指定コマンドから賞球個数のデータを取得し、賞球個数カウンタに加算しているため、限られた記憶領域を有効活用することができ、また処理も簡略化できる。」
　オ　「【００６１】
　続いて、
外部信号出力管理手段７８ｃによる外部信号出力管理処理
【００６２】
　Ｓ２２においてタイマ値が０であると判定された場合には、賞球個数カウンタの値がワーク領域から取得され（Ｓ２３）、この賞球個数カウンタの値から所定の減算値、例えば１０（所定個数）が減算された後（Ｓ２４）、減算後の賞球個数カウンタの値が０より小であるか否かが判定される（Ｓ２５）。
【００６３】
　そして、減算後の賞球個数カウンタの値が０以上であれば（Ｓ２５：Ｎｏ）、即ち減算前の賞球個数カウンタの値が１０個（所定個数）以上であれば、その減算後の賞球個数カウンタの値がワーク領域に格納され（Ｓ２６）、タイマに所定時間（例えば２００ｍｓ）に対応する所定値（例えば５０）がセットされる（Ｓ２７）。・・・
【００６４】
　そして、外部出力信号データのうち、賞球予定信号に対応するビットに、信号出力を示す例えば１がセットされ（Ｓ２８）、タイマの値が１減算され（Ｓ２９）、その他の外部出力信号に関する外部出力信号データの設定処理（Ｓ３０）が行われた後、その外部出力信号データに基づいて外部出力信号の出力が行われ（Ｓ３１）、賞球予定信号出力処理は終了する。
【００６５】
　ここで、外部出力信号データは、複数種類の外部出力信号に対応する複数のビットで構成されており、Ｓ３１において、例えば１に設定されているビットに対応する外部出力信号が外部出力端子５５ａ，５５ｂ，…から出力されるようになっており、賞球予定信号は、それら複数種類の外部出力信号の１つである。従って、賞球個数カウンタの値が１０個に達することに基づいて（Ｓ２５：Ｎｏ）、対応する外部出力端子５５ａから賞球予定信号の出力が開始される（Ｓ２８，Ｓ３１）。
・・・
【００７０】
　以上の
外部信号出力管理処理により、賞球個数カウンタの値
が１０個に達する毎に、外部出力端子５５ａから賞球予定信号が１００ｍｓ間継続して出力される。
 
　カ　「【００７３】
　
払出制御基板５３は、
払出制御手段８４、賞球信号作成手段８５、賞球信号出力手段８６等を備えている。払出制御手段８４は、
主制御基板３７から払出個数指定コマンドを受信した場合に、その払出個数指定コマンドで指定された賞球個数に基づいて払出手段４６を作動させる
【００７４】
　賞球信号作成手段８５と賞球信号出力手段８６とは、外部出力端子５５ａ，５５ｂ，…からの賞球信号の出力に関する制御を行うもので、夫々賞球信号作成処理（図１０）、賞球信号出力処理（図１１）を、例えば所定時間毎（ここでは４ｍｓ毎）に発生する定期割り込みにおいて実行するように構成されている。
【００７５】
　
賞球信号作成手段８５による賞球信号作成処理
【００７６】
　続いて、賞球済カウンタの値が１０以上であるか否かが判定される（Ｓ４３）。ここで、
賞球済カウンタは、払出手段４６によって払い出された賞球の個数をカウントするもので、払出検出スイッチ４８が遊技球を検出する毎に１が加算されるようになっている。
【００７７】
　Ｓ４３において賞球済カウンタの値が１０以上であると判定された場合には、即ち払出手段４６によって払い出された賞球の個数が１０個（特定個数）に達した場合には、賞球済カウンタの値が１０減算され（Ｓ４４）、賞球信号タイマに所定時間（例えば１００ｍｓ）に対応する所定値（例えば２５）がセットされる（Ｓ４５）。この賞球信号タイマは、当該賞球信号作成処理が実行される毎に、即ち４ｍｓ毎に、値が０になるまで上述したＳ４２において１ずつ減算されるようになっているため、Ｓ４５において２５がセットされた後、１００ｍｓ（＝４ｍｓ×２５）経過した時点で０となる。・・・
【００７８】
　そして、賞球信号タイマの値が０であるか否かが判定され（Ｓ４６）、賞球信号タイマの値が０であれば賞球信号フラグに００Ｈがセットされ（Ｓ４８）、賞球信号タイマの値が０でなければ賞球信号フラグに５ＡＨがセットされる（Ｓ４７）。
【００７９】
　以上の賞球信号作成処理により、
賞球済カウンタの値が１０に達する毎、即ち払出手段４６によって払い出された賞球の個数が１０個に達する毎に、賞球信号フラグの値が５ＡＨとなり、
【００８０】
　そして、
賞球信号出力手段８６による賞球信号出力処理
賞球信号フラグの値が５ＡＨであることを条件に、対応する外部出力端子５５ｂから賞球信号が出力される
 　 
・認定事項 
　キ　【００５３】に「賞球管理手段７８ｂによる賞球管理処理（図８）」と記載され、
　【００５５】に「入賞カウンタｎの値が０でないと判定されてループ処理から抜けた場合には・・・その入賞カウンタｎに対応する払出個数指定コマンドが・・・読み出され、・・・制御コマンド送信手段７９を介して払出制御基板５３に送信される（Ｓ１８）。」と記載され、 
　【００５６】に「所定のワーク領域（記憶領域）から賞球個数カウンタの値が読み出され、Ｓ１８でコマンドデータテーブル７８ｅから読み出された払出個数指定コマンドの下位バイトの値（即ち賞球個数）がその賞球個数カウンタに加算される（Ｓ１９ａ）。」と記載され、 
 　 
　また、賞球管理手段７８ｂにて実行される賞球管理処理のフローチャートを示す【図８】に、 
　賞球管理処理において、入賞カウンタｎに対応する払出個数指定コマンドを送信するステップ（Ｓ１８）の実行後に、ワーク領域から賞球個数カウンタの値を取得し、払出個数指定コマンドの下位バイトの値（賞球個数）を加算するステップ（Ｓ１９ａ）を実行することが示されている。 
 　 
　したがって、引用文献１には、「賞球管理手段７８ｂによる賞球管理処理において、入賞カウンタｎに対応する払出個数指定コマンドを払出制御基板５３に送信するステップの実行後に、当該払出個数指定コマンドの下位バイトの値（即ち賞球個数）を賞球個数カウンタに加算」することが示されているものと認められる。 
 　 
　上記ア〜カの記載事項、上記キの認定事項、及び、図面の図示内容を総合すると、引用文献１には次の発明（以下「引用発明」という。）が記載されていると認められる（ａ〜ｍは、本件補正発明のＡ〜Ｍに対応させて付与した。）。 
　「ａ　遊技機本体１は前枠３を備え（【００１２】）、前枠３には遊技盤５が装着され（【００１３】）、
　遊技盤５の遊技領域１２には、特別図柄始動手段１５、大入賞手段１６、普通入賞手段１７ａ〜１７ｄが配置され（【００１４】）、
　特別図柄始動手段１５は、始動入賞口２７、２８を備え、特別図柄始動手段１５には、始動入賞口２７、２８に入賞した遊技球を検出する入賞検出スイッチ３２、３３が設けられ（【００１９】）、
　大入賞手段１６には、入賞した遊技球を検出する入賞検出スイッチ３４が設けられ（【００２５】）、
　普通入賞手段１７ａ〜１７ｄには、入賞した遊技球を検出する入賞検出スイッチ３５ａ〜３５ｄが設けられ（【００２６】）、 
ｂ　遊技盤５の裏面側には、主制御基板３７が装着され（【００２７】）、
　主制御基板３７は、入賞処理手段７８、制御コマンド送信手段７９を備え（【００３１】）、
　主制御基板３７には、払出制御基板５３が接続され、特別図柄始動手段１５、大入賞手段１６、普通入賞手段１７ａ〜１７ｄの各入賞検出スイッチ３２〜３４，３５ａ〜３５ｄが接続され（【００３２】）、
　入賞処理手段７８は、入賞管理手段７８ａ、賞球管理手段７８ｂを備え（【００４５】）、
　入賞管理手段７８ａによる入賞管理処理においては、入賞口ｎへの入賞があったか否かが、その入賞口ｎに対応する入賞検出スイッチからの検出信号に基づいて判定され、入賞口ｎへの入賞があったと判定された場合には、その入賞口ｎに対応する入賞カウンタに１が加算され（【００４９】〜【００５１】）、
　賞球管理手段７８ｂによる賞球管理処理においては、入賞カウンタｎの値が０であるか否かが判定され、入賞カウンタｎの値が０でないと判定された場合には、その入賞カウンタｎに対応する払出個数指定コマンドが１個ずつ読み出され、制御コマンド送信手段７９を介して払出制御基板５３に送信され（【００５３】〜【００５５】）、払出個数指定コマンドは、その下位バイトが賞球個数の数値となっており（【００４８】）、
ｃ　前枠３の裏側には、払出手段４６が装着され、払出手段４６は、遊技球が入賞口に入賞したときに、遊技球を払い出し（【００２８】）、
ｄ　前枠３の裏側下部には、払出制御基板５３が装着され（【００２９】）、払出制御基板５３は、払出制御手段８４を備え、払出制御手段８４は、主制御基板３７から払出個数指定コマンドを受信した場合に、その払出個数指定コマンドで指定された賞球個数に基づいて払出手段４６を作動させ（【００７３】）、
ｅ　払出手段４６には、払い出した遊技球を検出する払出検出スイッチ４８が設けられ（【００２８】）、
ｆ　賞球済カウンタは、払出手段４６によって払い出された賞球の個数をカウントするもので、払出検出スイッチ４８が遊技球を検出する毎に１が加算されるようになっており（【００７６】）、
ｇ　賞球管理手段７８ｂによる賞球管理処理において、入賞カウンタｎに対応する払出個数指定コマンドを払出制御基板５３に送信するステップの実行後に、当該払出個数指定コマンドの下位バイトの値（即ち賞球個数）を賞球個数カウンタに加算し、賞球個数カウンタは、払い出し予定の賞球の累計をカウントするもので、一定の記憶領域が割り当てられており（【００５５】〜【００５６】、認定事項キ）、
ｈ　前枠３の裏側には、各種信号を外部のホール側コンピュータ等に出力するための複数の外部出力端子５５ａ、５５ｂを備えた外部出力基板５６が装着され（【００３０】）、
ｉ　払出制御基板５３は、賞球信号作成手段８５、賞球信号出力手段８６を備え（【００７３】）、
　賞球信号作成手段８５による賞球信号作成処理では、賞球済カウンタの値が１０に達する毎、即ち払出手段４６によって払い出された賞球の個数が１０個に達する毎に、賞球信号フラグの値が５ＡＨとなり（【００７５】〜【００７９】）、
　賞球信号出力手段８６による賞球信号出力処理では、賞球信号フラグの値が５ＡＨであることを条件に、対応する外部出力端子５５ｂから賞球信号が出力され（【００８０】）、
ｊ、ｌ　外部信号出力管理手段７８ｃによる外部信号出力管理処理により、賞球個数カウンタの値が１０個に達する毎に、外部出力端子５５ａから賞球予定信号が１００ｍｓ間継続して出力される（【００６１】〜【００７０】）、
ｍ　パチンコ機（【００１２】）。」 
 　 
（３）対比 
　本件補正発明と引用発明とを、分説に従い対比する。 
（ａ）引用発明における構成ａの「遊技盤５の遊技領域１２に」「配置され」た「特別図柄始動手段１５」の「始動入賞口２７、２８」、「大入賞手段１６」及び「普通入賞手段１７ａ〜１７ｄ」は、本件補正発明における構成Ａの「遊技球が入賞可能な入賞手段」に相当する。
　また、引用発明における構成ａの「始動入賞口２７、２８に入賞した遊技球を検出する入賞検出スイッチ３２、３３」、「大入賞手段１６に」「入賞した遊技球を検出する入賞検出スイッチ３４」及び「普通入賞手段１７ａ〜１７ｄに」「入賞した遊技球を検出する入賞検出スイッチ３５ａ〜３５ｄ」は、本件補正発明における構成Ａの「入賞手段に入賞した遊技球を検知する入賞検知手段」に相当する。
　してみると、引用発明の構成ａは、本件補正発明の構成Ａに相当するものである。  
（ｂ）引用発明における構成ｂの「入賞管理処理」において、「入賞口ｎに対応する入賞検出スイッチからの検出信号に基づいて」「入賞口ｎへの入賞があったと判定され」ることは、本件補正発明における構成Ｂの「入賞検知手段によって遊技球の入賞が検知される」ことに相当する。
　また、引用発明における構成ｂの「賞球管理処理」における「その下位バイトが賞球個数の数値となって」いる「払出個数指定コマンド」は、本件補正発明における構成Ｂの「所定数の遊技球を賞球として払い出す賞球払出の制御を行わせる払出制御コマンド」に相当し、同様に、「払出個数指定コマンド」を「払出制御基板５３に送信」することは、「払出制御コマンドを送信する」ことに相当する。
　そして、引用発明における構成ｂの「入賞管理処理」と「賞球管理処理」とを実行する「主制御基板３７」は、本件補正発明における構成Ｂの「前記入賞検知手段によって遊技球の入賞が検知されると、所定数の遊技球を賞球として払い出す賞球払出の制御を行わせる払出制御コマンドを送信する第１制御手段」に相当する。
　してみると、引用発明の構成ｂは、本件補正発明の構成Ｂに相当するものである。
（ｃ）引用発明における構成ｃの「遊技球を」「払い出」す「払出手段４６」は、本件補正発明における構成Ｃの「遊技球を払い出す払出装置」に相当する。
　してみると、引用発明の構成ｃは、本件補正発明の構成Ｃに相当するものである。 
（ｄ）引用発明における構成ｄの「主制御基板３７から」「受信した」「払出個数指定コマンド」は、本件補正発明における構成Ｄの「前記第１制御手段から送信された払出制御コマンド」に相当する。
　また、引用発明における構成ｄの「主制御基板３７から払出個数指定コマンドを受信した場合に、その払出個数指定コマンドで指定された賞球個数に基づいて払出手段４６を作動させ」る「払出制御手段８４」は、本件補正発明における構成Ｄの「前記第１制御手段から送信された払出制御コマンドに基づいて、前記払出装置から賞球として遊技球の払出制御を行う第２制御手段」に相当する。
　してみると、引用発明の構成ｄは、本件補正発明の構成Ｄに相当するものである。 
（ｅ）引用発明における構成ｅの「払出手段４６に」「設けられ」た「払い出した遊技球を検出する払出検出スイッチ４８」は、本件補正発明における構成Ｅの「前記払出装置から払い出された遊技球を検出する払出球検出手段」に相当する。
　してみると、引用発明の構成ｅは、本件補正発明の構成Ｅに相当するものである。
（ｆ）引用発明における構成ｆの「払出手段４６によって払い出された賞球の個数をカウントする」「賞球済カウンタ」は、本件補正発明における構成Ｆの「前記払出装置から払い出された賞球数を計数記憶する計数記憶手段」に相当する。
　してみると、引用発明の構成ｆは、本件補正発明の構成Ｆに相当するものである。
（ｇ）引用発明における構成ｇの「払出個数指定コマンドを」「送信するステップの実行後」は、本件補正発明における構成Ｇの「前記払出制御コマンドを送信した後」に相当し、同様に、「当該払出個数指定コマンドの下位バイトの値（即ち賞球個数）」は「該払出制御コマンドによって払い出しを指示された賞球数」に相当する。
　そして、引用発明における構成ｇの「払出個数指定コマンドを」「送信するステップの実行後」に、「当該払出個数指定コマンドの下位バイトの値（即ち賞球個数）を」「加算し」、「払い出し予定の賞球の累計をカウントする」「賞球個数カウンタ」は、本件補正発明における構成Ｇの「前記払出制御コマンドを送信した後に、該払出制御コマンドによって払い出しを指示された賞球数を加算記憶する払出予定数記憶手段」に相当する。
　してみると、引用発明の構成ｇは、本件補正発明の構成Ｇに相当するものである。
（ｈ）引用発明における構成ｈの「各種信号を外部のホール側コンピュータ等に出力するための複数の外部出力端子５５ａ、５５ｂを備えた外部出力基板５６」は、本件補正発明における構成Ｈの「遊技に関する情報を外部に出力可能な外部接続手段」に相当する。
　してみると、引用発明の構成ｈは、本件補正発明の構成Ｈに相当するものである。
（ｉ）引用発明における構成ｉの「賞球済カウンタの値が１０に達する」ことは、本件補正発明における構成Ｉの「前記計数記憶手段に記憶された計数値が所定の計数値となったこと」に相当し、同様に、「賞球信号」は「賞球払出信号」に、「外部出力端子５５ｂから賞球信号が出力され」ることは、「賞球払出信号を前記外部接続手段へ出力する」ことに、それぞれ相当する。
　してみると、引用発明の構成ｉは、本件補正発明の構成Ｉに相当するものである。
（ｊ）引用発明における構成ｊ、ｌの「賞球個数カウンタの値が１０個に達する」ことは、本件補正発明における構成Ｊの「前記払出予定数記憶手段に記憶された加算値が所定の加算値となったこと」に相当し、同様に、「賞球予定信号」は「払出予定信号」に、「外部出力端子５５ａから賞球予定信号が」「出力される」ことは、「払出予定信号を前記外部接続手段へ出力する」ことに、それぞれ相当する。
　してみると、引用発明の構成ｊ、ｌは、本件補正発明の構成Ｊに相当するものである。
（ｌ）引用発明における構成ｊ、ｌの「賞球予定信号が」「継続して出力される」「１００ｍｓ間」は、本件補正発明における構成Ｌの「払出予定信号の１回の出力時間」に相当する。
　してみると、引用発明の構成ｊ、ｌと本件補正発明の構成Ｌとは、「払出予定信号の１回の出力時間」がある点で共通する。
（ｍ）引用発明における構成ｍの「パチンコ機」は、本件補正発明における構成Ｍの「遊技機」に相当する。
　してみると、引用発明の構成ｍは、本件補正発明の構成Ｍに相当するものである。
 　 
　上記（ａ）〜（ｍ）によれば、本件補正発明と引用発明とは、 
　「Ａ　遊技球が入賞可能な入賞手段に入賞した遊技球を検知する入賞検知手段と、
Ｂ　前記入賞検知手段によって遊技球の入賞が検知されると、所定数の遊技球を賞球として払い出す賞球払出の制御を行わせる払出制御コマンドを送信する第１制御手段と、
Ｃ　遊技球を払い出す払出装置と、
Ｄ　前記第１制御手段から送信された払出制御コマンドに基づいて、前記払出装置から賞球として遊技球の払出制御を行う第２制御手段と、
Ｅ　前記払出装置から払い出された遊技球を検出する払出球検出手段と、
Ｆ　前記払出装置から払い出された賞球数を計数記憶する計数記憶手段と、
Ｇ　前記払出制御コマンドを送信した後に、該払出制御コマンドによって払い出しを指示された賞球数を加算記憶する払出予定数記憶手段と、
Ｈ　遊技に関する情報を外部に出力可能な外部接続手段と、を備え、
Ｉ　前記計数記憶手段に記憶された計数値が所定の計数値となったことに基づき、賞球払出信号を前記外部接続手段へ出力するように構成され、
Ｊ　前記払出予定数記憶手段に記憶された加算値が所定の加算値となったことに基づき、払出予定信号を前記外部接続手段へ出力するように構成され、
Ｌ’　前記払出予定信号の１回の出力時間がある
Ｍ　ことを特徴とする遊技機。」の点で一致し、次の点で相違する。 
 　 
［相違点１］（構成Ｋ） 
　本件補正発明は、前記払出予定数記憶手段の初期化に対応して、セキュリティに関するセキュリティ信号を前記外部接続手段へ出力するように構成されているのに対して、引用発明は、払出予定数記憶手段（「「賞球済カウンタ」）の初期化に対応して、セキュリティに関するセキュリティ信号を外部接続手段（「外部出力基板５６」）へ出力するという構成を備えていない点。 
［相違点２］（構成Ｌ） 
　本件補正発明は、前記払出予定信号の１回の出力時間を、前記払出予定数記憶手段の初期化に対応して出力する前記セキュリティ信号の出力時間より長くしないのに対して、引用発明は、払出予定信号（「賞球予定信号」）の１回の出力時間を１００ｍｓ間としているものの、そもそもセキュリティ信号を出力するという構成を備えていないため、払出予定信号の１回の出力時間をセキュリティ信号の出力時間より長くしないという構成も備えていない点。 
（４）当審判合議体における判断 
ア　相違点１、２について
　相違点１、２は、払出予定数記憶手段の初期化に対応して、外部接続手段へ出力されるセキュリティ信号に関する技術であって、互いに関連しているのでまとめて検討する。 
（ア）拒絶査定時に提示され、本願の遡及日前に頒布された又は電気通信回線を通じて公衆に利用可能となった文献である特開２０１２−２２３２０４号公報（以下「周知例１」という。）には、以下の事項が記載されている（下線は当審にて付した。）。
「【００５２】
  
パチンコ遊技機１
ターミナル基板１６０には、
入賞信号、セキュリティ信号、
を外部出力するための情報出力端子が設けられている。
「【００６５】
　・・・主基板３１には、プログラムに従ってパチンコ遊技機１を制御する遊技制御用マイクロコンピュータ（遊技制御手段に相当）５６０が搭載されている。
遊技制御用マイクロコンピュータ５６０は、
ワークメモリとして使用される記憶手段としてのＲＡＭ５５
を含む。
「【００７２】
　また、
ＲＡＭ５５は、
バックアップＲＡＭである。
未払出賞球数を示すデータ
は、バックアップＲＡＭに保存される。
「【０１１３】
　また、この実施の形態では、
遊技機への電源投入が行われて初期化処理が実行された場合にも、セキュリティ信号が所定期間（例えば、３０秒間）
外部装置に出力される。
「【０１１４】
　なお、この実施の形態では、上記のように、異常入賞が検出された場合と、
初期化処理（
ＲＡＭ５５の記憶内容をクリアするなどの処理
「【０２５６】
　ステップＳ５１２０〜Ｓ５１２４の処理が実行されることによって、この実施の形態では、
所定数分の払出条件が成立するごとに（賞球１０個分の入賞が発生するごとに）、
入賞信号が外部出力される
「【０４６１】
　また、情報出力処理のステップＳ１０２１〜Ｓ１０２３および図５８に示す入賞タイマセット処理によって、いずれかの入賞口（第１始動入賞口１３、第２始動入賞口１４、大入賞口、普通入賞口２９，３０）への入賞が発生し、
賞球予定数が１０個累積するごとに、入賞信号が出力される。すなわち、入賞信号が１００ｍｓ間オン状態となった後、１００ｍｓ間オフ状態になる。
　上記記載事項を総合すると、周知例１には、次の事項（以下「周知例１記載の事項」という。）が記載されていると認められる。
　「遊技制御用マイクロコンピュータ５６０のＲＡＭ５５には、未払出賞球数を示すデータが保存され、賞球予定数が１０個累積するごとに、入賞信号がターミナル基板１６０から外部出力されるパチンコ遊技機１において、ＲＡＭ５５の記憶内容をクリアする初期化処理が実行された場合に、セキュリティ信号が３０秒間ターミナル基板１６０から外部装置に出力され、入賞信号が外部出力される場合、入賞信号が１００ｍｓ間オン状態となるパチンコ遊技機１。」
　周知例１記載の事項の「ＲＡＭ５５」は、「未払出賞球数を示すデータが保存され」るものであるから、本件補正発明の構成Ｋの「払出予定数記憶手段」に相当し、同様に、「ＲＡＭ５５の記憶内容をクリアする初期化処理」は「払出予定数記憶手段の初期化」に、「セキュリティ信号」は「セキュリティに関するセキュリティ信号」に、「ターミナル基板１６０」は「外部接続手段」に、それぞれ相当する。
　そうすると、周知例１記載の事項の「ＲＡＭ５５の記憶内容をクリアする初期化処理が実行された場合に、セキュリティ信号が」「ターミナル基板１６０から外部装置に出力され」ることは、本件補正発明の構成Ｋの「払出予定数記憶手段の初期化に対応して、セキュリティに関するセキュリティ信号を外部接続手段へ出力する」ことに相当する。
　また、周知例１記載の事項の「賞球予定数が１０個累積するごとに、」「外部出力される」「入賞信号」は、本件補正発明の構成Ｌの「払出予定信号」に相当し、同様に、「入賞信号が外部出力される場合、入賞信号が」「オン状態となる」「１００ｍｓ間」は、「払出予定信号の１回の出力時間」に、「セキュリティ信号が」「外部装置に出力され」る「３０秒間」は、「前記払出予定数記憶手段の初期化に対応して出力する前記セキュリティ信号の出力時間」に、それぞれ相当する。
　そして、「１００ｍｓ間」が「３０秒間」よりも長くないことは明らかであるから、周知例１記載の事項の「セキュリティ信号が３０秒間」「外部装置に出力され、入賞信号が外部出力される場合、入賞信号が１００ｍｓ間オン状態となる」ことは、本件補正発明の構成Ｌの「前記払出予定信号の１回の出力時間を、前記払出予定数記憶手段の初期化に対応して出力する前記セキュリティ信号の出力時間より長くしない」ことに相当する。
　以上より、周知例１記載の事項は、本件補正発明の構成Ｋ、Ｌに相当するものである。
（イ）拒絶査定時に提示され、本願の遡及日前に頒布された又は電気通信回線を通じて公衆に利用可能となった文献である特開２０１２−３４７７５号公報（特に、【００６０】、【００６３】、【００７０】、【０１１１】、【０１１２】、【０１９４】、【０３７２】を参照）及び特開２０１２−２４４９９号公報（特に、【００３７】、【００５２】、【００５８】、【０１７７】、【０１７８】、【０２７３】、【０４６３】）にも、周知例１記載の事項と同様の事項が記載されている。
　上記（ア）、（イ）より、パチンコ遊技機の技術分野において、払出予定数記憶手段の初期化に対応して、セキュリティに関するセキュリティ信号を外部接続手段へ出力するように構成し、払出予定信号の１回の出力時間を、払出予定数記憶手段の初期化に対応して出力するセキュリティ信号の出力時間より長くしないこと、すなわち、上記相違点１及び２に係る本件補正発明の構成Ｋ及びＬは、本願の遡及日前において周知の技術事項であったといえる。
　そして、引用発明と上記周知の技術事項とは、払出予定数記憶手段に記憶された加算値が所定の加算値となったことに基づき、払出予定信号を外部へ出力するパチンコ遊技機である点で共通しているから、引用発明に上記周知の技術事項を付加して、払出予定数記憶手段の初期化に対応して、セキュリティに関するセキュリティ信号を外部接続手段へ出力するように構成するとともに、払出予定信号の１回の出力時間（引用発明における構成ｌの「賞球予定信号が」「継続して出力される」「１００ｍｓ間」）を、払出予定数記憶手段の初期化に対応して出力するセキュリティ信号の出力時間より長くしないようにして、上記相違点１及び２に係る本件補正発明の構成とすることは、当業者が容易に想到し得たものである。
イ　効果について
　本件補正発明により奏される効果は、当業者が、引用発明、及び、上記周知の技術事項から予測し得る範囲内のものにすぎず、格別顕著なものということはできない。
ウ　請求人の主張について 
　請求人は、平成３１年１月１１日付け審判請求書において、次のとおり主張する。
（ア）「また、引用文献１に開示された遊技機は、上記段落００７０の記載や図１２の記載から明らかなように、入賞口に入球を所定個数確認した時点でホールコンピュータ（外部装置）に払出予定信号を出力するものであり、本願発明１のように、払出制御コマンド送信後に当該払出制御コマンドによって払い出しを指示された賞球数を加算記憶し、この加算値が所定値となったことに基づいて払出予定信号を出力する構成ではありません。即ち、この引用文献１には、払出制御コマンド送信後に当該払出制御コマンドによって払い出しを指示された賞球数を加算記憶し、この加算値が所定値となったことに基づいて払出予定信号を出力するという構成については記載が見当たりません。」（【本願発明が特許されるべき理由】の（ハ）引用文献の説明）
（イ）「特に特徴Ａのうちの、「
前記払出制御コマンドを送信した後に、該払出制御コマンドによって払い出しを指示された
　これに対して、各引用文献（引用文献１乃至４）には、少なくとも上記特徴Ａ（特に上記特徴イ）について明示又は示唆する記載が見当たりません。このため、各引用文献に開示された構成を組み合わせることができたとしても、本願発明１と同等の構成及び効果を実現することはできません。」（【本願発明が特許されるべき理由】の（ニ）本願発明と引用文献との対比）
　そこで、請求人の上記主張について検討する。 
　上記「第２　３（３）対比の（ｇ）、（ｊ）」において説示したとおり、請求人が「特徴イ」とする本件補正発明の「前記払出制御コマンドを送信した後に、該払出制御コマンドによって払い出しを指示された賞球数を加算記憶する払出予定数記憶手段と、…を備え、…　前記払出予定数記憶手段に記憶された加算値が所定の加算値となったことに基づき、払出予定信号を前記外部接続手段へ出力するように構成され、」という構成（構成Ｇ、Ｊ）は、引用発明も備えているものである。
　したがって、請求人の上記主張を採用することはできない。 
 　 
（５）小括 
　よって、本件補正発明は、引用発明、及び、周知の技術事項に基いて当業者が容易に発明をすることができたものであるから、特許法第２９条第２項の規定により、特許出願の際に独立して特許を受けることができないものである。 
 　 
４　まとめ 
　上記１〜３より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。 
 　 
第３　本願発明について 
１　本願発明
　本件補正は、上記のとおり却下されることとなったので、本願の請求項１〜２に係る発明は、平成３０年５月２４日付け手続補正書における特許請求の範囲の請求項１〜２に記載されたとおりのものであるところ、その請求項１に係る発明（以下「本願発明」という。）は、次のとおりのものであると認める（記号Ａ〜Ｍは、分説するため当審にて付した。）。
　「Ａ　遊技球が入賞可能な入賞手段に入賞した遊技球を検知する入賞検知手段と、
Ｂ　前記入賞検知手段によって遊技球の入賞が検知されると、所定数の遊技球を賞球として払い出す賞球払出の制御を行わせる払出制御コマンドを送信する第１制御手段と、
Ｃ　遊技球を払い出す払出装置と、
Ｄ　前記第１制御手段から送信された払出制御コマンドに基づいて、前記払出装置から賞球として遊技球の払出制御を行う第２制御手段と、
Ｅ　前記払出装置から払い出された遊技球を検出する払出球検出手段と、
Ｆ　前記払出装置から払い出された賞球数を計数記憶する計数記憶手段と、
Ｇ’　前記入賞検知手段によって遊技球の入賞が検知されることに対応して、前記払出装置から払い出す賞球数を加算記憶する払出予定数記憶手段と、
Ｈ　遊技に関する情報を外部に出力可能な外部接続手段と、を備え、
Ｉ　前記計数記憶手段に記憶された計数値が所定の計数値となったことに基づき、賞球払出信号を前記外部接続手段へ出力するように構成され、
Ｊ　前記払出予定数記憶手段に記憶された加算値が所定の加算値となったことに基づき、払出予定信号を前記外部接続手段へ出力するように構成され、
Ｋ　前記払出予定数記憶手段の初期化に対応して、セキュリティに関するセキュリティ信号を前記外部接続手段へ出力するように構成され、
Ｌ　前記払出予定信号の１回の出力時間を、前記払出予定数記憶手段の初期化に対応して出力する前記セキュリティ信号の出力時間より長くしない
Ｍ　ことを特徴とする遊技機。」
２　原査定の拒絶の理由の概要
　原査定の拒絶の理由は、この出願の請求項１、２に係る発明は、その出願前に頒布された又は電気通信回線を通じて公衆に利用可能となった下記の引用文献１に記載された発明に基づいて、その出願前にその発明の属する技術の分野における通常の知識を有する者が容易に発明をすることができたものであるから、特許法第２９条第２項の規定により特許を受けることができない、というものである。
 
１．特開２０１２−２２８３４０号公報
３　引用文献 
　原査定の拒絶の理由で引用された引用文献１の記載事項及び引用発明の認定については、前記「第２　３（２）引用文献１」に記載したとおりである。 
４　対比・判断
　本願発明は、前記「第２　３（１）本件補正発明」で検討した本件補正発明の構成Ｇ「前記払出制御コマンドを送信した後に、該払出制御コマンドによって払い出しを指示された賞球数を加算記憶する払出予定数記憶手段」を、構成Ｇ’「前記入賞検知手段によって遊技球の入賞が検知されることに対応して、前記払出装置から払い出す賞球数を加算記憶する払出予定数記憶手段」としたものである。
　そこで、本願発明の構成Ｇ’について、本願発明と引用発明とを対比する。
　引用発明における構成ｂの「入賞管理処理」において、「入賞口ｎに対応する入賞検出スイッチからの検出信号に基づいて」「入賞口ｎへの入賞があったと判定され」ることは、本願発明における構成Ｇ’の「前記入賞検知手段によって遊技球の入賞が検知されること」に相当する。
　また、引用発明における構成ｇの「賞球管理処理において、」「払出制御基板５３に送信する」「払出個数指定コマンドの下位バイトの値（即ち賞球個数）」は、本願発明における構成Ｇ’の「前記払出装置から払い出す賞球数」に相当する。
　そして、引用発明における構成ｂの「入賞管理処理」において、「入賞口ｎへの入賞があったと判定された場合に」、構成ｇの「賞球管理処理において、」「払出制御基板５３に送信する」「払出個数指定コマンドの下位バイトの値（即ち賞球個数）を」「加算」する「賞球個数カウンタ」は、本願発明における構成Ｇ’の「前記入賞検知手段によって遊技球の入賞が検知されることに対応して、前記払出装置から払い出す賞球数を加算記憶する払出予定数記憶手段」に相当する。
　してみると、引用発明の構成ｂ、ｇは、本願発明の構成Ｇ’に相当する構成を具備している。
　本願発明の構成Ａ〜Ｆ、Ｈ〜Ｍは、上記本件補正発明の構成Ａ〜Ｆ、Ｈ〜Ｍと同じであり、前記「第２　３（３）対比」にて説示したとおり、引用発明の構成ａ〜ｆ、ｈ〜ｊ、ｍは、本願発明の構成Ａ〜Ｆ、Ｈ〜Ｊ、Ｍに相当する。
　そうすると、本願発明と引用発明とは、本件補正発明と引用発明との相違点である上記相違点１及び２（構成Ｋ及びＬ）において相違し、その余の点で一致するものである。
　そして、上記相違点１及び２については、前記「第２　３（４）当審判合議体における判断　ア　相違点１、２について」における検討内容と同様の理由により、引用発明、及び、拒絶査定時に提示された文献に記載された周知の技術事項に基づいて、当業者が容易に想到し得たものである。
　したがって、本願発明は、引用発明、及び、拒絶査定時に提示された文献に記載された周知の技術事項に基いて当業者が容易に発明をすることができたものである。
第４　むすび 
　以上のとおり、本願発明は、特許法第２９条第２項の規定により特許を受けることができないものであるから、他の請求項に係る発明について検討するまでもなく、本願は拒絶されるべきものである。
　よって、結論のとおり審決する。